(57)【要約】【課題】  単純な構成にて、様々なシート幅に対し常に中央振り分けの同一距離にステープルが可能なシート後処理装置を提供すること。【解決手段】  シートを積載するトレイと、前記トレイに積載されたシートを整合する整合部材と、整合されたシートを綴じる一対のステープラと、綴じられたシート束を下流のシートスタック部に移送するための搬送機構とを有するステープル処理トレイを備えたシート後処理装置において、  前記ステープル処理トレイをシート走行方向と直交する方向に移動可能な移動手段を備えた。【選択図】  図１
2006044909.tif 000002
【特許請求の範囲】
【請求項１】
シートを積載しステープル処理を行うステープル処理トレイと、
前記ステープル処理トレイに積載されたシートを整合する整合部材と、
整合されたシートを綴じる一対のステープラと、
綴じられたシート束を下流のシートスタック部に移送するための搬送機構とを有するステープルユニットを備えたシート後処理装置において、
前記ステープルユニットをシート走行方向と直交する方向に移動させる移動手段を備えたことを特徴とするシート後処理装置。
【請求項２】
前記ステープル処理トレイは、シートサイズに応じて前記ステープラ間の中央が前記シートの中央に位置するように制御することを特徴とする請求項１記載のシート後処理装置。
【発明の詳細な説明】
【技術分野】
【０００１】
本発明はステープラを備える後処理装置及びこの装置を有する画像形成装置、詳細には、例えばプリンタ、複写機等のシート後処理装置に関するものである。
【背景技術】
【０００２】
従来のシート後処理装置の全体構成を図３に、図３の符号１のステープル処理トレイを示す概略構成図を図４に示す。
【０００３】
従来のシート後処理装置では、画像形成されたシート２がステープル処理トレイ１に搬送され、整合部材であるストッパ６及びジョガー５ａ、５ｂによりシート２の揃えが行われ、ステープラ７ａ、７ｂにより、任意の位置にステープルが行われるようになっている（例えば、特許文献１参照）。
【０００４】
上記構成で片側基準のシート搬送を行う場合、様々なサイズのシート２に対してシート２の中央振り分けの位置にステープルを行うためには、シートの搬送基準Ａがシートの中央位置Ｃと同一でなくてはならないため、図示されていないシフト機構を付加し予めシート２が矢視方向に移動されている必要がある。
【０００５】
従来のシート後処理装置は、片側基準のシート搬送の場合、様々なシートに対し中央振り分けの同一位置にステープルをさせることが出来ないため、仮に前記位置にステープルしたい場合、ステープル処理トレイにシートを搬入する前に別装置のシフト装置を設ける必要があった。
【０００６】
また、その場合、シートを搬出する場合にはシート搬送基準位置にシートの位置を戻すため、さらに前記シフト装置によりシートを移動させる等の必要があった。
【０００７】
更には、別手段にて、前記位置にステープルさせる場合は、同一駆動にて同期して移動しているジョガーをそれぞれ別駆動にし、シフト機能を付加した構成にする等、複雑な装置構成にしなければならかった。
【０００８】
【特許文献１】特開平１０−１８１９８９号公報
【発明の開示】
【発明が解決しようとする課題】
【０００９】
本発明の目的は、単純な構成にて、様々なシート幅に対し常に中央振り分けの同一距離にステープルが可能なシート後処理装置を提供することを目的としたものである。
【課題を解決するための手段】
【００１０】
上記課題を解決するために、下記手段を発明した。
（１）シートを積載するトレイと、前記トレイに積載されたシートを整合する整合部材と、整合されたシートを綴じる一対のステープラと、綴じられたシート束を下流のシートスタック部に移送するための搬送機構とを有するステープル処理トレイを備えたシート後処理装置において、前記ステープル処理トレイをシート走行方向と直交する方向に移動可能な移動手段を備えたことを特徴とするシート後処理装置。
（２）前記ステープル処理トレイは、シートサイズに応じて前記ステープラ間の中央が前記シートの中央に位置するように制御することを特徴とする請求項１記載のシート後処理装置。
【発明の効果】
【００１１】
本発明によれば、片側基準にてシートが搬送されてくる場合においても、単純な構成にて、様々なシート幅に対し常に中央振り分けの同一距離にステープルが可能となる。
【発明を実施するための最良の形態】
【００１２】
以下、図面に基づいて本発明に係わるシート後処理装置の実施の形態を説明する。
【００１３】
図１は本発明に係わるシート後処理装置のステープル処理トレイの概略構成図、図２は前記ステープル処理トレイの動作を示す概略構成図である。図１において、符号１はステープル処理トレイ、２は図示されない画像形成装置から排出されてきたシート、３は前記シート２を積載するトレイ、４ａ、４ｂはシート２の搬送方向に対し、直行方向の揃えを整えるジョガー、５はジョガー４を駆動させるジョガー駆動装置、６はシート２を突き当てるストッパ、７ａ、７ｂはステープラ、８はステープラの移動およびステープル処理を行うためのステープラ駆動装置、９はステープルされたシート２を排出するための搬送装置、１０は前記搬送装置９の一部で、シート２を排出する際にシート２を押し出すためのシート搬送爪、１１はトレイ３、ジョガー４ａ、４ｂ、ジョガー駆動装置５、ストッパ６、ステープラ７ａ、７ｂ、ステープラ駆動装置８、搬送装置９が積載されたステープルユニット、１２はステープルユニット１１を移動させる移動手段である。
【００１４】
ここで、ジョガー４ａ、４ｂはステープルユニット１１の基準位置Ａに対して同一距離に位置しており、且つ駆動装置５により、基準位置Ａに対して常に同一距離の位置にＬ１〜Ｌ２の範囲で移動可能になっている。またステープラ７ａ、７ｂについても同様にステープルユニット１１の基準位置Ａに対して同一距離に位置しており、且つステープラ駆動装置８により、基準位置Ａに対して常に同一距離の位置にＬ３〜Ｌ４の範囲で移動可能になっている。
【００１５】
図１中、実線で表示されるジョガー４ａ、４ｂはＬ１の位置、破線で表示されるジョガー４ａ、４ｂはＬ２の位置を示す。また実線で表示されるステープラ７ａ、７ｂはＬ３の位置、破線で表示されるステープラ７ａ、７ｂはＬ４の位置を示す。ここで、Ｌ１、Ｌ２はそれぞれ搬送されるシート２の最大幅、最小幅を揃えることが可能な位置である。またＬ３、Ｌ４はシート２の中央位置Ｃからステープル出来得る最大幅、最小幅である。シート搬送爪１０は基準位置Ａ上に位置している。シート２は図示されない画像形成装置の基準位置Ａとは異なる搬送基準Ｂに沿ってステープル処理トレイ１に搬送される。
【００１６】
図２において、シート２が搬送される場合、シート２がステープル処理トレイ１に搬送される前に、基準位置Ａが搬送されるシート２の中央位置Ｃになるようにステープルユニット１１が移動する。シート２はストッパ６に突き当り、またジョガー４ａ、４ｂがシート幅まで移動し、シート２の揃いがなされる。このとき、ステープラ７ａ、７ｂが任意の位置に移動し、基準位置Ａに対し同一距離の２箇所、つまりシート２の中央位置Ｃに対しても同一距離の２箇所にステープルが行われる。この後、搬送装置９により、シート搬送爪１０がシート２の中央部を押し出し、搬送基準Ｂに沿って排出される。
【図面の簡単な説明】
【００１７】
【図１】本発明に係るシート後処理装置のステープル処理トレイの概略構成図である。
【図２】本発明のステープル処理トレイの動作を示す概略構成図である。
【図３】従来のシート後処理装置の全体構成図である。
【図４】従来のステープル処理トレイの概略構成図である。
【符号の説明】
【００１８】
１はステープル処理トレイ、２はシート、３はトレイ、４ａ、４ｂはジョガー、５はジョガー駆動装置、６はストッパ、７ａ、７ｂはステープラ、８はステープラ駆動装置、９は搬送装置、１０はシート搬送爪、１１はステープルユニット、１２は移動手段、１３はシート後処理装置、Ａは基準位置、Ｂはシート搬送基準位置、Ｃはシート中央位置である。
【図１】
2006044909.tif 000003
【図２】
2006044909.tif 000004
【図３】
2006044909.tif 000005
【図４】
2006044909.tif 000006